(57)【要約】【課題】本発明は、簡単な構成で、展開・収納時間を短縮することができ、コストを低減することを目的とするものである。【解決手段】トーガード２には、複数個の踏み台４が取り付けられている。各踏み台４は、保守員の足を乗せるための矩形の踏み面４ａを有している。各踏み台４は、トーガード２の前面２ａに対して踏み面４ａが直交するように前面２ａから突出する作業位置と、トーガード２に収納された収納位置との間で回動変位可能である。踏み台４には、乗場から操作することにより踏み台４を同時に回動変位させる引上棒７が連結されている。【選択図】図１
2009096626.tif 000002
【特許請求の範囲】
【請求項１】
昇降路のピットに設けられたトーガード、
保守員の足を乗せるための踏み面を有し、上記トーガードの上記昇降路内に面する前面に対して上記踏み面が交差するように上記前面から突出する作業位置と、上記トーガードに収納された収納位置との間で回動変位可能に上記トーガードに設けられている踏み台、及び
上記踏み台に連結されており、乗場から操作することにより上記踏み台を回動変位させる操作部材
を備えていることを特徴とするエレベータのピット昇降用踏み台装置。
【請求項２】
上記操作部材は、上記踏み台に回動可能に連結され、上端部が乗場敷居の上面に対して突出・退没可能な引上棒であり、
上記引上棒を上下動させることにより、上記踏み台が回動変位されることを特徴とする請求項１記載のエレベータのピット昇降用踏み台装置。
【請求項３】
上記踏み台が作業位置にあるときに、上記トーガードの上部に立設されるとともに、上記引上棒の上端部が係止される手摺棒をさらに備えていることを特徴とする請求項２記載のエレベータのピット昇降用踏み台装置。
【請求項４】
上記踏み台には、保守員が掴むための手掛け部材が取り付けられていることを特徴とする請求項１から請求項３までのいずれか１項に記載のエレベータのピット昇降用踏み台装置。
【発明の詳細な説明】
【技術分野】
【０００１】
この発明は、昇降路のピット内に配置された機器を保守点検する際、保守員が乗場とピットとの間を移動するために使用されるエレベータのピット昇降用踏み台装置に関するものである。
【背景技術】
【０００２】
従来のエレベータピット点検用の梯子装置では、トーガードの下部とピット底面との間に梯子が設けられる（例えば、特許文献１参照）。
また、従来のピット梯子を用いたエレベータシステムでは、折り畳み式のピット梯子がピット底面に配置されている。このピット梯子は、非使用時には折り畳まれており、使用時に乗場から展開・起立させてピット底面と乗場との間に架けられる（例えば、特許文献２参照）。
【０００３】
【特許文献１】特開平９−２２７０４５号公報
【特許文献２】特開２００２−１７３２７６号公報
【発明の開示】
【発明が解決しようとする課題】
【０００４】
上記のような従来のエレベータピット点検用の梯子装置では、梯子の長さがピット深さによって異なるため、ピット深さに合わせた梯子を現場毎に製作する必要があり、コストが高くなってしまう。また、梯子の下端部をアンカーボルト等でピット底面に固定する必要があり、据付の手間がかかる。
また、上記のような従来のエレベータシステムでは、使用時にピット梯子を展開・起立させる作業や保守作業後にピット梯子を折り畳む作業に時間がかかってしまう。また、ピット深さ毎にピット梯子の長さを変更したりピット梯子の設置位置を調整したりする必要があり、コストが高くなってしまう。
【０００５】
この発明は、上記のような課題を解決するためになされたものであり、簡単な構成で、展開・収納時間を短縮することができ、コストを低減することができるエレベータのピット昇降用踏み台装置を得ることを目的とする。
【課題を解決するための手段】
【０００６】
この発明に係るエレベータのピット昇降用踏み台装置は、昇降路のピットに設けられたトーガード、保守員の足を乗せるための踏み面を有し、トーガードの昇降路内に面する前面に対して踏み面が交差するように前面から突出する作業位置と、トーガードに収納された収納位置との間で回動変位可能にトーガードに設けられている踏み台、及び踏み台に連結されており、乗場から操作することにより踏み台を回動変位させる操作部材を備えている。
【発明の効果】
【０００７】
この発明のエレベータのピット昇降用踏み台装置は、作業位置と収納位置との間で回動変位可能な踏み台をトーガードに設け、乗場から操作部材を操作することにより踏み台を回動変位させるようにしたので、簡単な構成で、展開・収納時間を短縮することができる。また、ピット深さ毎に長さや取付位置を調整する必要がないため、コストを低減することができる。
【発明を実施するための最良の形態】
【０００８】
以下、この発明を実施するための最良の形態について、図面を参照して説明する。
実施の形態１．
図１はこの発明の実施の形態１によるエレベータのピット昇降用踏み台装置の使用状態を示す斜視図、図２は図１の要部を拡大して示す斜視図、図３は図１の手摺棒を取り外した状態を示す斜視図、図４は図３のピット昇降用踏み台装置を示す側面図、図５は図４の踏み台を作業位置と収納位置との間の位置に回動変位させた状態を示す側面図、図６は図４の踏み台を収納位置に回動変位させた状態を示す側面図である。
【０００９】
図において、最下階乗場の乗場敷居１には、平板状のトーガード２の上端部が取り付けられている。トーガード２は、昇降路のピット３内に配置され、かご（図示せず）が最下階に着床したとき、かごに設けられたエプロン（図示せず）に対向する。トーガード２は、昇降路内（ピット３内）に面する鉛直な前面２ａを有している。また、トーガード２の幅方向中央部には、上下方向に互いに間隔をおいて複数（ここでは２つ）の矩形の開口部２ｂが設けられている。
【００１０】
トーガード２には、断面コ字形の複数個（ここでは２個）の踏み台４が取り付けられている。踏み台４は、開口部２ｂに設けられている。即ち、踏み台４は、上下方向に互い間隔をおいて配置されている。また、各踏み台４は、保守員の足を乗せるための矩形の踏み面４ａを有している。
【００１１】
さらに、各踏み台４は、トーガード２の前面２ａに対して踏み面４ａが直交するように前面２ａから突出する作業位置（図１、３、４）と、トーガード２に収納された収納位置（図６）との間で回動変位可能である。さらにまた、各踏み台４は、踏み台４とトーガード２との間に設けられた回動軸５を中心として回動される。
【００１２】
踏み台４が作業位置にあるとき、踏み面４ａは水平である。また、踏み台４が収納位置にあるとき、踏み面４ａはトーガード２の前面と平行、即ち鉛直である。踏み台４の回動は、作業位置と収納位置との間の９０度の範囲内に規制されている。踏み台４は、収納位置では全体が前面２ａよりも乗場側（図４〜６の左側）に位置し前面２ａから突出しない。
【００１３】
各踏み台４には、保守員が掴むための棒状の手掛け部材６が取り付けられている。手掛け部材６は、踏み台４が作業位置にあるとき前面２ａから突出する部分の踏み面４ａの下部に、踏み面４ａ及び前面２ａと平行に設けられている。
【００１４】
踏み台４には、乗場から操作することにより踏み台４を同時に回動変位させる操作部材としての引上棒７が連結されている。引上棒７は、各踏み台４に設けられた連結軸８を介して、踏み台４に対して回動自在に連結されている。
【００１５】
引上棒７は、トーガード２の裏側（乗場側）に鉛直に配置され、上下動可能となっている。また、引上棒７の上端部には、直角に屈曲された係止部７ａが設けられている。係止部７ａは、乗場敷居１の上面に対して突出・退没される。
【００１６】
踏み台４が収納位置にあるときには、係止部７ａは、乗客の歩行の障害とならないように、乗場敷居１の上面及びトーガード２の上面に対して退没されトーガード２の上端部に係止されている。この状態から、係止部７ａを引き上げ、引上棒７を上動させることにより、踏み台４が図６の状態から回動軸５を中心として図６の時計方向へ回動され、図５の状態を経て図４の作業位置まで回動される。踏み台４を収納位置に戻す場合は、引上棒７を押し下げればよい。
【００１７】
踏み台４が作業位置にあるとき、トーガード２の上部には、保守員が掴むための手摺棒９が鉛直に立設される。トーガード２の上部には、手摺棒９の下端部が装着される手摺棒装着部２ｃが設けられている。手摺棒９には、係止部７ａを引き上げた位置に係止する（引っ掛ける）切り欠き９ａが設けられている。切り欠き９ａの形状は、係止部７ａの形状に合わせてＬ字形になっている。
【００１８】
このようなピット昇降用踏み台装置では、作業位置と収納位置との間で回動変位可能な踏み台４をトーガード２に設け、乗場から引上棒７を操作することにより踏み台４を回動変位させるようにしたので、簡単な構成で、展開・収納時間を短縮することができる。特に、折り畳み式のピット梯子を起立・展開させたり折り畳んだりするのに比べて、小さな力で踏み台４を回動変位させることができる。また、ピット深さ毎に長さや取付位置を調整する必要がないため、コストを低減することができる。
【００１９】
また、操作部材として、上端部が乗場敷居１の上面に対して突出・退没可能な引上棒７を用いたので、乗場からピット３側へ身を乗り出さずに安定した姿勢で踏み台４の回動操作を行うことができる。
さらに、トーガード２の上部に立設される手摺棒９を用いたので、保守員のピット３内への出入りが容易になる。また、手摺棒９に係止部７ａを係止させるようにしたので、踏み台４を作業位置に保持することができ、踏み台４を誤って蹴上げた場合にも、踏み台４が収納位置側へ回動されるのを防止することができる。
さらにまた、踏み台４に手掛け部材６を取り付けたので、ピット昇降用踏み台装置を使った昇降をさらに容易にすることができる。
【００２０】
なお、踏み面４ａの形状は、保守員の足を乗せることができれば特に限定されるものではなく、踏み面４ａの形状に応じて開口部２ｂの形状も変更可能である。
また、上記の例では、踏み台４をトーガード２の幅方向中央部に配置したが、これに限定されるものではなく、例えば幅方向の一端部に配置してもよい。これに伴って、引上棒７を乗場出入口の開口部の幅方向一端部に配置してもよく、これにより収納時の引上棒７を目立たなくすることができる。
さらに、上記の例では、踏み台４を２個のみ示したが、ピット深さ及びトーガード２の上下方向寸法に応じて１個又は３個以上としてもよい。
【図面の簡単な説明】
【００２１】
【図１】この発明の実施の形態１によるエレベータのピット昇降用踏み台装置の使用状態を示す斜視図である。
【図２】図１の要部を拡大して示す斜視図である。
【図３】図１の手摺棒を取り外した状態を示す斜視図である。
【図４】図３のピット昇降用踏み台装置を示す側面図である。
【図５】図４の踏み台を作業位置と収納位置との間の位置に回動変位させた状態を示す側面図である。
【図６】図４の踏み台を収納位置に回動変位させた状態を示す側面図である。
【符号の説明】
【００２２】
１  乗場敷居、２  トーガード、２ａ  前面、３  ピット、４  踏み台、４ａ  踏み面、６  手掛け部材、７  引上棒（操作部材）、９  手摺棒。
【図１】
2009096626.tif 000003
【図２】
2009096626.tif 000004
【図３】
2009096626.tif 000005
【図４】
2009096626.tif 000006
【図５】
2009096626.tif 000007
【図６】
2009096626.tif 000008